(57)【要約】【課題】安価でありながら、球面や自由曲面のような３次元の湾曲面を備えた人工壁を提供する。【解決手段】人工壁（１）を、格子状に組み上げられた複数本の足場パイプからなる内部構造と、複数枚の湾曲パネル（５、５、…）から形成された壁面（９）と、壁面（９）の表面に設けられている複数個の突起状のホールド（１０、１０、…）とから構成する。湾曲パネル（５、５、…）は、ベニヤ板から形成し、任意の方向（７、８）に湾曲した曲面を有するようにする。人工壁（１）の形状は、球面の一部のように形成することもできるし、他の３次元曲面に形成することもできる。【選択図】図１
0003156846.tif 000002
【実用新案登録請求の範囲】
【請求項１】
その表面に突起状のホールドが設けられているフリークライミング用の立体的な人工壁が構築されるようになっているパネルであって、
前記パネルは、ベニヤ板から、任意の方向において湾曲した曲面を有するように形成されていることを特徴とする人工壁構築用パネル。
【請求項２】
請求項１に記載のパネルにおいて、前記湾曲面は球面の一部であることを特徴とする人工壁構築用パネル。
【請求項３】
請求項１または２に記載の人工壁構築用パネルから構築されたフリークライミング用の人工壁。
【請求項４】
請求項３に記載の人工壁には、湾曲の曲面の曲率が異なっているパネル、または平板状のパネルも含まれていることを特徴とするフリークライミング用の人工壁。
【請求項５】
請求項３に記載の人工壁であって、球体の一部の形状に形成されたフリークライミング用の人工壁。
【考案の詳細な説明】
【技術分野】
【０００１】
本考案は、フリークライミングに使用される登攀用の人工壁に関するものである。
【背景技術】
【０００２】
クライミングの一種であるフリークライミングは、自分の肉体のみを使って岩壁を登攀するスポーツであり、道具は安全の為に必要最小限使用し、登攀手段としては一切の道具を使わない極めてシンプルなクライミング形態である。その中の一つとして、リードクライミングがあり、またボルダリングがある。リードクライミングは、落下したら重大な事故が引き起こされるような高さの壁を登るクライミングであり、安全確保のためのロープが結びつけられたクライマーと、このロープを保持する安全確保者、すなわちビレーヤーとが２人一組になって、壁を登攀するクライミングスタイルである。一方、ボルダリングは、山の中や河原にある、比較的高さがない大きな岩を登るクライミングで、通常は下にマットを敷いて登攀する。そして、クライマーは落ちる時にそのマットに飛び降りて、安全を確保するクライミングスタイルである。近年、自然の岩壁を擬した人工壁、すなわちクライミングウォールが設けられた施設が建てられ、都市部においてもこのようなフリークライミングが手軽に楽しめるようになってきている。このような人工壁は、組み上げられた複数本の鉄パイプからなる内部構造と、複数枚のパネルからなり内部構造に支持されている壁面とから構成されている。このように壁面は複数枚のパネルから構成されているので、ある程度変化のある立体構造に形成することができる。
【０００３】
壁面を構成しているパネルには、自然の岩盤を摸した凹凸が表面に形成されている立体形状のパネルもあるし、平板状のパネルもある。前者のパネルはＦＲＰ、コンクリート等から形成されており、複雑な立体形状の壁面を構成できるというメリットはある。しかしながら、高価であるというデメリットがある。また、構築する壁面の形状に合わせて個々に制作される専用パネルであるので、一旦構築されてしまった壁面を改造することが困難であるというデメリットもある。フリークライミング施設においては、競技者の興味を引き出すために色々な形状の人工壁が設置されることが好ましいが、都市部においては設置場所の制約があり多数の人工壁を設置することは難しい。そうすると、設置できる人工壁の数は制限されるので、容易に壁面の改造ができることが好ましい。しかしながら、前者のパネルにおいては壁面の改造が難しいので、安価に人工壁を提供できないという問題がある。
【０００４】
後者のパネルは平板状のベニヤ板から形成されている。そして、この壁面の表面には競技者の足場や取手になる複数個の突起物、すなわちホールドが設けられている。パネルは平板状であるので、複雑な立体構造からなる壁面を形成することは難しいが、ホールドの取付位置を変更することが容易であるし、一部のパネルを取り外して他のパネルに交換するだけで壁面の立体構造を容易に変更できる。つまり、構築された壁面の改造を容易にできるというメリットがある。そして、ベニヤ板は安価である。従って、安価に人工壁を提供するには、後者のパネルが有利である。
【先行技術文献】
【特許文献】
【０００５】
【特許文献１】特開２００７−２２２２０２号公報
【０００６】
特許文献１には、複数枚の平面パネルから構成された人工壁が記載されている。特許文献１に記載の平面パネルは、三角形等の多角形に形成されており、互いの辺、すなわち互いの縁において所定の角度で結合されるようになっている。従って、複数枚の平面パネルによって形成される人工壁は多面体からなる立体構造にすることができる。そうすると、ある程度複雑な立体構造からなる人工壁を形成することができる。
【考案の概要】
【考案が解決しようとする課題】
【０００７】
特許文献１に記載の平面パネルによっても、ある程度複雑な立体構造の人工壁を形成することができるので、競技者は変化に富んだ人工壁を楽しむことはできる。そして、このような平面パネルはベニヤ板から形成することができるので、人工壁を安価に提供することもできる。しかしながら、解決すべき問題も見受けられ、具体的には形成できる立体の形状に制約がある点に問題が見受けられる。つまり、平面パネルから形成される立体は単純な形状になってしまうという問題があり、通常は多面体しか得られない。特許文献１には記載されていないが、平面パネルを湾曲させれば、壁面が湾曲した人工壁を構築することはできる。そうすると、多少変化のある人工壁を得ることはできる。しかしながら、図４に示されているように、平面パネル５０を撓ませて湾曲させたとしても、平板パネル５０は、符号５１で示されているように１方向にしか湾曲させることができない。そうすると湾曲の方向５１と直交する方向５２においては湾曲していないので、形状は単純である。つまり、どの方向から見ても湾曲しているような複雑な曲面は形成することができない。従って、特許文献１に記載の平面パネルからは、滑らかな球面や自由曲面のような３次元の湾曲面を有する壁面を形成することができず、変化に富んだ人工壁を形成することができない。競技者は、壁面に設けられている複数個のホールドを手で掴んだり、つま先を引っかけて登攀する。このとき、どのホールドを選択し、手足をどのような順序で移動させるかという、いわゆるムーブを選択・決定して登攀することになる。このムーブの選択に知的な要素があり、フリークライミングの醍醐味になっている。特許文献１に記載の平面パネルから構築された人工壁は、多面体ではあるが立体的に形成されているので、比較的ムーブの選択の範囲が広く競技者の興味を引き出すことはできる。しかしながら、さらにムーブの選択の範囲を広くして、さらに競技者の興味を引き出し、それによってフリークライミングの醍醐味を十分に味わうことができるようにするには、さらなる工夫の余地が認められる。
【０００８】
本考案は、上記したような従来の問題点あるいは課題を解決したフリークライミング用の人工壁を提供することを目的としている。具体的には、改造が容易で安価であるにも拘わらず、球面や自由曲面のような３次元の湾曲面を備え、従って競技者の興味をかき立てることができる人工壁を提供することを目的としている。さらに、このような人工壁を構築するパネルを提供することも目的としている。
【課題を解決するための手段】
【０００９】
本考案は、上記目的を達成するために、フリークライミング用の人工壁を構築するパネルをベニヤ板から構成し、任意の方向において湾曲した湾曲面を備えるように構成する。そして、このようなパネル複数枚から立体的な壁面が形成され、パネル表面に突起状のホールドが複数個固定されて、フリークライミング用の人工壁が構築されるようにする。
【００１０】
すなわち、請求項１に記載の考案は、上記目的を達成するために、その表面に突起状のホールドが設けられているフリークライミング用の立体的な人工壁が構築されるようになっているパネルであって、前記パネルは、ベニヤ板から、任意の方向において湾曲した曲面を有するように形成されるように構成される。
請求項２に記載の考案は、請求項１に記載のパネルにおいて、前記湾曲面は球面の一部であるように構成される。
そして、請求項３に記載の考案は、請求項１または２に記載の人工壁構築用パネルから構築されたフリークライミング用の人工壁として構成され、請求項４に記載の考案は、請求項３に記載の人工壁には、湾曲の曲面の曲率が異なっているパネル、または平板状のパネルも含まれていることを特徴とするフリークライミング用の人工壁として構成され、請求項５に記載の考案は、請求項３に記載の人工壁であって、球体の一部の形状に形成されたフリークライミング用の人工壁として構成される。
【考案の効果】
【００１１】
以上のように、本考案によると、フリークライミング用の立体的な人工壁が構築されるようになっているパネルはベニヤ板から形成されているので、すなわち安価なベニヤ板から形成されているので、安価に人工壁を提供することができる。また、パネルは、他の形状のパネルに交換が容易であるので改造が容易でもある。そして、本考案によるパネルは、任意の方向において湾曲した曲面を有するように形成されているので、このようなパネルから構築される人工壁は、球面や自由曲面のような３次元の湾曲面に形成することができる。そうすると、ムーブの選択の余地が大きくなって、競技者の興味がかき立てられ、フリークライミングの醍醐味を十分に味合うことができる。人工壁が球面の一部であるように形成されている考案によると、このような形状の人工壁は従来無かったものであり、ムーブの選択の余地がさらに大きくなると共に、従来実現できなかったような独創的なムーブを出現させることもでき、フリークライミングの醍醐味が増す。また、湾曲の曲面の曲率が異なっているパネル、または平板状のパネルも含まれている人工壁に関する考案によると、従来得られなかったような複雑な形状の人工壁も得られることになる。
【図面の簡単な説明】
【００１２】
【図１】本考案の実施の形態に係るフリークライミング用の人工壁を模式的に示す図で、その（ア）は人工壁の斜視図、その（イ）は人工壁を構成しているパネルの斜視図である。
【図２】本考案の実施の形態に係る人工壁用のパネルを製造するプレス型を模式的に示す図であり、その（ア）はプレス型の斜視図、その（イ）はプレス型の上型の上面図である。
【図３】プレス型を使用して、本考案の実施の形態に係る人工壁用のパネルを製造する方法を模式的に説明する図で、その（ア）〜（エ）は各製造段階を示すプレス型の上面図である。
【図４】従来例に係る人工壁用のパネルを模式的に示す斜視図である。
【考案を実施するための形態】
【００１３】
以下、本考案の実施の形態に係るフリークライミング用の人工壁１を説明する。本実施の形態に係る人工壁１すなわちクライミングウォールは、図１の（ア）に示されているように、従来のクライミングウォールとその形状が異なっており、ドーム状を呈している。このような人工壁１は、従来周知の基礎人工壁２の一部に設けられている。基礎人工壁２は周知のように、複数枚の平面パネル３、３、…から形成され、わずかに前方にせり出すように傾いている。すなわちオーバーハングしている。このような基礎人工壁２の所定の部分に、球の約１／３だけ切断した形状の本実施の形態に係る人工壁１が設けられている。
【００１４】
本実施の形態に係る人工壁１も、従来の人工壁と同様に、人工壁１を支持する内部構造と、内部構造に支持されている壁面と、壁面の表面に設けられている複数の所定の突起物、すなわちホールドとから構成されている。内部構造は、図１の（ア）には示されていないが、格子状に組み上げられた複数本の鉄パイプ、いわゆる足場パイプから構成されている。足場パイプからなる内部構造は、安価で軽量でありながら十分な強度を備えており、さらにはその形状を容易に改造できるので、フリークライミング用の人工壁の内部構造として適している。このような内部構造に所定の金具、すなわちクランプを介して、本実施の形態に係る湾曲パネル５、５、…が取り付けられている。
【００１５】
本実施の形態に係る湾曲パネル５は、ベニヤ板、すなわち木材の合板から形成されており、図１の（イ）に示されているように、球面の一部の形状を呈し、中央部が凸状に湾曲している、あるいは裏面から見ると凹状に湾曲している。このような湾曲パネル５の湾曲面は、従来の平面パネルを湾曲させたときに形成される湾曲面と異なっており、任意の方向において湾曲した３次元形状になっている。例えば、湾曲パネル５は第１の方向７と第２の方向８のいずれの方向においても湾曲している。本実施の形態においては、湾曲パネル５の厚さは１８ｍｍになっているが、それより厚くても、薄くても同様に実施できる。このような３次元形状に湾曲している湾曲パネル５は、後で説明するように所定の方法によって製造されている。
【００１６】
内部構造に複数枚の湾曲パネル５、５、…が取り付けられ、図１の（ア）に示されているようにドーム状を呈する球状の壁面９が形成されている。具体的には湾曲パネル５、５、…は、内部構造の足場パイプに所定のクランプを介して固定されているが、足場パイプとクランプは図１の（ア）には示されていない。このように形成されている壁面９には、色々な大きさや形状のホールド１０、１０、…、すなわち競技者Ｋが登攀時に手で掴んだり足を引っかける突起物が適切な配置で複数個設けられている。湾曲パネル５、５、…はベニヤ板から構成されているので、任意の場所に孔を開けることができる。従って、このようなホールド１０、１０は任意の場所にネジ止めできるようになっている。基礎人工壁２を構成している平面パネル３、３、…にも、同様に複数個のホールド１０、１０、…が適切な配置で設けられている。
【００１７】
本実施の形態に係る湾曲パネル５を製造する方法について説明する。本実施の形態に係る湾曲パネル５は、いわゆる高周波プレス装置によって製造される。高周波プレス装置は、従来周知であるので詳しく説明しないが、下型と上型とからなる一対のプレス型と、このプレス型が取り付けられるようになっていると共にプレス型を所定の力で締めつけるプレスユニットと、所定のコイルを備え高周波誘導加熱によってプレス型を加熱する高周波加熱装置とから構成されている。このプレス型の間に、複数枚の薄い板材を、それらの間に熱硬化性の接着剤を挟むようにして積層して、プレスユニットを駆動して所定の力で締め付け、高周波加熱装置を駆動してプレス型を加熱すると、接着剤が熱硬化する。従って、合板が製造できるようになっている。高周波プレス装置には、所定の電極が設けられ、プレス型を加熱しないで直接板材を高周波誘導加熱によって加熱するタイプのものもあり、どのようなタイプの高周波プレス装置を使用しても合板を製造することができる。
【００１８】
本実施の形態に係る湾曲パネル５を製造するプレス型１２は図２に示されており、（ア）は上型１４と下型１３の斜視図、（イ）は下型１３の上面図になっている。下型１３は、中央部１６が上向に盛り上がった凸部１８が形成されており、凸部１８の形状は所定の曲率の球面の一部になっている。このような下型１３と対をなす上型１４にも、凸部１８に対応する凹部１９が形成されており、凹部１９の形状も球面の一部になっている。
【００１９】
本実施の形態に係る湾曲パネル５を製造するとき、次のようにする。下型１３の凸部１８の上に、図３の（ア）に示されているように、第１のベニヤ板２１を載せる。第１のベニヤ板２１は、複数枚の薄い板材からなる合板であるが、繊維の方向、すなわち木目の方向が一方向に揃ったベニヤ板になっている。第１のベニヤ板２１の表面に熱硬化性の接着剤を塗布した後に、図３の（イ）に示されているように、第１のベニヤ板２１の上に第２のベニヤ板２２を重ねる。第２のベニヤ板２２も木目の方向が一方向に揃ったベニヤ板である。このような第２のベニヤ板２２を、その木目の方向が第１のベニヤ板２１の木目の方向と直角になるように重ねる。第２のベニヤ板２２の表面に接着剤を塗布した後に、図３の（ウ）に示されているように、第３のベニヤ板２３を重ねる。第３のベニヤ板２３も木目の方向が一方向に揃ったベニヤ板であり、第２のベニヤ板２２の木目の方向と直角になるように第２のベニヤ板２２に重ねる。以下、同様にして第４、５、…のベニヤ板を重ねた後に、プレスユニットを駆動して上型１４と下型１３を所定の力で締めつける。このとき、第１、２、…のベニヤ板２１、２２、…はいずれも木目の方向が一方向に揃っているので、木目と直交する方向にある程度伸縮することができる。従って、第１、２、…のベニヤ板２１、２２、…は凸部１８と凹部１９の形状に合わせるように変形することになる。高周波加熱装置を駆動してプレス型を加熱して、第１、２、…のベニヤ板２１、２２、…を加熱する。そうすると接着剤が熱硬化して接着される。高周波プレス装置から取り出された合板２５を、図３の（エ）に示されているように、所定の部分２６、２７、…で切断すると、本実施の形態に係る湾曲パネル５が得られる。
【００２０】
本実施の形態に係る人工壁１は、上記実施の形態に限定されることなく色々な形で実施できる。例えば、人工壁１は外方に凸になる凸面状に形成されているが、内側に凹んだ凹面状に形成されていてもよい。このような凹面状の人工壁は、本実施の形態に係る湾曲パネル５を裏返して内部構造に取り付けるようにすれば、容易に構築することができる。また人工壁１は、球面の一部のような形状に限定される必要はなく、他の複雑な形状の３次元曲面であってもよい。例えば、湾曲パネルの形状を楕円体の表面の一部のような形状にしてもよいし、他の３次元曲面の形状にすることもできる。また、互いに曲率の異なる湾曲パネル５を組み合わせれば、複雑な３次元曲面からなる壁面を構築することもできる。さらには、湾曲パネルと平板パネルと組み合わせて壁面を構築するようにしてもよい。
【符号の説明】
【００２１】
１    人工壁                    ２    基礎人工壁
３    平面パネル３              ５    湾曲パネル
９    壁面                    １０    ホールド
１２    プレス型                １３    上型
１４    下型
【図１】
0003156846.tif 000003
【図２】
0003156846.tif 000004
【図３】
0003156846.tif 000005
【図４】
0003156846.tif 000006